(57)【要約】【課題】  マルチ画面表示可能な表示手段に画像データを表示させる際、簡易な操作で複数の画像データを表示させるための対策が求められていた。【解決手段】  １つの入力手段が、１つの取得するべき画像データに対応付けられた複数個の入力手段を操作し、操作された各々の前記入力手段に対応する前記画像データを取得し、設定時間内に操作された前記入力手段が２個以上である場合に、操作された複数の前記入力手段に対応付けられた複数の前記画像データを表示手段に並行して表示させるためのレイアウトを決定し、決定されたレイアウトに基づいて、取得された１または複数の前記画像データを用いて１画面分の表示データを構成し、前記表示手段に表示データを出力する。【選択図】  図４
2010008984.tif 000002
【特許請求の範囲】
【請求項１】
１つの入力手段が、１つの取得するべき画像データに対応付けられた複数個の入力手段と、
操作された各々の前記入力手段に対応する前記画像データを取得する取得手段と、
設定時間内に操作された前記入力手段が１つである場合に、操作された１つの前記入力手段に対応付けられた１つの前記画像データを表示手段に表示させるためのレイアウトを決定し、前記設定時間内に操作された前記入力手段が２個以上である場合に、操作された複数の前記入力手段に対応付けられた複数の前記画像データを表示手段に並行して表示させるためのレイアウトを決定する決定手段と、
前記決定手段で決定されたレイアウトに基づいて、前記取得手段で取得された１または複数の前記画像データを用いて１画面分の表示データを構成し、前記表示手段に表示データを出力する出力手段と
を備える画像処理システム。
【請求項２】
更に、前記設定時間内に操作された前記入力手段が２個以上である場合に、連続して操作された２つの前記入力手段が操作されたタイミングの時間差を判定する判定手段を備え、
前記判定手段が一定の前記時間差を判定した場合、前記決定手段は前記表示手段を垂直方向または水平方向に不均等に分割する境界によって複数の表示領域を有するレイアウトを決定し、前記判定手段が一定の前記時間差を判定しなかった場合、前記決定手段は前記表示手段を垂直方向及び水平方向に均等に分割する境界によって複数の表示領域を有するレイアウトを決定し、
前記出力手段は各々の前記表示領域に、操作された複数の前記入力手段に対応付けられた複数の前記画像データを表示させる表示データを出力することを特徴とする請求項１に記載の画像処理システム。
【請求項３】
更に、前記設定時間内に操作された前記入力手段が２個以上である場合に、連続して操作された２つの前記入力手段が操作されたタイミングの時間差を判定する判断手段を備え、
前記判定手段が一定の前記時間差を判断した場合、前記決定手段は１つの表示領域が別の表示領域の前景となるように複数の表示領域のレイアウトを決定し、前記判定手段が一定の前記時間差を判定しなかった場合、前記決定手段は前記表示手段を垂直方向及び水平方向に分割する境界によって複数の表示領域を有するレイアウトを決定し、
前記出力手段は各々の前記表示領域に、操作された複数の前記入力手段に対応付けられた複数の前記画像データを表示させる表示データを出力することを特徴とする請求項１に記載の画像処理システム。
【請求項４】
前記設定時間内に操作された前記入力手段が２個である場合に、それぞれの前記入力手段に対する操作の継続時間の差を判断する判断手段を備え、
前記判断手段が一定の前記継続時間の差を判断した場合、前記決定手段は前記表示手段を垂直方向または水平方向に不均等に分割する境界によって複数の表示領域を有するレイアウトを決定し、前記判断手段が一定の前記継続時間の差を判断しなかった場合、前記決定手段は前記表示手段を垂直方向及び水平方向に均等に分割する境界によって複数の表示領域を有するレイアウトを決定し、
前記出力手段は各々の前記表示領域に、操作された複数の前記入力手段に対応付けられた複数の前記画像データを表示させる表示データを出力することを特徴とする請求項１に記載の画像処理システム。
【請求項５】
前記設定時間内に操作された前記入力手段が２個である場合に、それぞれの前記入力手段に対する操作の継続時間を判断する判断手段を備え、
前記判断手段が一定の前記継続時間の差を判断した場合、前記決定手段は１つの表示領域が別の表示領域の前景となるように複数の表示領域のレイアウトを決定し、前記判断手段が一定の前記継続時間の差を判断しなかった場合、前記決定手段は前記表示手段を垂直方向及び水平方向に分割する境界によって複数の表示領域を有するレイアウトを決定し、
前記出力手段は各々の前記表示領域に、操作された複数の前記入力手段に対応付けられた複数の前記画像データを表示させる表示データを出力することを特徴とする請求項１に記載の画像処理システム。
【請求項６】
１つの入力手段が、１つの取得するべき画像データに対応付けられた複数個の入力手段を操作して、対応する複数の画像データを表示手段に並行して表示することが可能な画像処理システムの画像処理方法であって、
操作された各々の前記入力手段に対応する前記画像データを取得する取得工程と、
設定時間内に操作された前記入力手段が１つである場合に、操作された１つの前記入力手段に対応付けられた１つの前記画像データを前記表示手段に表示させるためのレイアウトを決定し、前記設定時間内に操作された前記入力手段が２個以上である場合に、操作された複数の前記入力手段に対応付けられた複数の前記画像データを表示手段に並行して表示させるためのレイアウトを決定する決定工程と、
前記決定工程で決定されたレイアウトに基づいて、前記取得工程で取得された１または複数の前記画像データを用いて１画面分の表示データを構成し、前記表示手段に表示データを出力する出力工程と
を備える画像処理方法。
【請求項７】
請求項６に記載の画像処理方法をコンピュータに実行させるためのプログラム。
【発明の詳細な説明】
【技術分野】
【０００１】
本発明は、１つの表示部に複数の画面を表示するための技術に関する。
【背景技術】
【０００２】
液晶ディスプレイ等の表示装置の機能として、１つの表示画面に複数の映像を同時に表示する機能（以下、マルチ画面表示機能とする）が知られている。
【０００３】
このマルチ画面表示機能として、例えばＰｉｎＰ（ピクチャ・イン・ピクチャ）またはＰｏｕｔＰ（ピクチャ・アウト・ピクチャ）等が知られている。
【０００４】
近年、マルチ画面表示機能によって同時に表示される画像の数及び画像レイアウトの形態は多様化している。
【０００５】
以下に、マルチ画面表示機能をユーザが利用する手順の一例を示す。
【０００６】
複数の放送番組を１つの画面に表示させる場合、ユーザはリモートコントローラを操作して、画面の表示モードを１画面表示モード（１つの放送番組を１画面に表示するモード）からマルチ画面表示モードに切替える。
【０００７】
尚、マルチ画面表示モードに切替えた場合、画面には複数の放送番組を表示するための領域（複数の領域）が設定される。
【０００８】
次に、ユーザはリモートコントローラを操作して、画面に表示された複数の領域の１つを選択する操作を行う。
【０００９】
最後に、ユーザは選択した領域にユーザの好む放送番組を割り当てる操作を行う。
【００１０】
また、上記従来技術の一例とは別に、マルチ画面表示機能をユーザが利用する手順の１つとして、表示レイアウトを自動的に変更するような機能を持つ表示形式選択装置が知られている（例えば、特許文献１）。
【００１１】
また、ユーザが頻繁にテレビのチャンネルボタンを押した場合に、自動的にマルチ画面表示を行う技術が知られている（例えば、特許文献２）。
【特許文献１】特開平１１−２２５３０１号公報
【特許文献２】特開２００４−２４７９５４号公報
【発明の開示】
【発明が解決しようとする課題】
【００１２】
このマルチ画面表示機能において、表示領域を選択する操作と放送番組を割り当てる操作は、同時に表示させるコンテンツの数が多くなる程、繁雑である。
【００１３】
本発明はかかる問題点に鑑みてなされたものであり、簡易な操作でユーザの好む複数のコンテンツをマルチ画面表示させることを目的とする。
【課題を解決するための手段】
【００１４】
上記の目的を達成するために、本発明の画像処理システムは、１つの入力手段が、１つの取得するべき画像データに対応付けられた複数個の入力手段と、操作された各々の前記入力手段に対応する前記画像データを取得する取得手段と、設定時間内に操作された前記入力手段が１つである場合に、操作された１つの前記入力手段に対応付けられた１つの前記画像データを表示手段に表示させるためのレイアウトを決定し、前記設定時間内に操作された前記入力手段が２個以上である場合に、操作された複数の前記入力手段に対応付けられた複数の前記画像データを表示手段に並行して表示させるためのレイアウトを決定する決定手段と、前記決定手段で決定されたレイアウトに基づいて、前記取得手段で取得された１または複数の前記画像データを用いて１画面分の表示データを構成し、前記表示手段に表示データを出力する出力手段とを有することを特徴とする。
【発明の効果】
【００１５】
本発明によれば、簡易な操作でユーザの好む複数のコンテンツを１つの画面にマルチ画面表示することが可能となる。
【発明を実施するための最良の形態】
【００１６】
以下、本発明に好適な実施の形態について、図面を参照しながら説明する。
【００１７】
（第１の実施形態）
本実施形態の画像処理システムは、例えばテレビチューナーやテレビ録画機器に適用される。
【００１８】
図１は本発明の第１の実施形態に係る画像処理システムの構成の一例を示したブロック図である。
【００１９】
同図において、画像処理システム１００は、制御装置１０１と受信装置１０２との２つの装置から構成されている。これら２つの装置の構成については後述する。
【００２０】
１０３は、マトリクス電極構造を持つフラットパネルディスプレイ、ＣＲＴ（ブラウン管）ディスプレイ等の表示部である。
【００２１】
１０４は、ＤＶＤプレーヤーやハードディスクレコーダ等の外部映像機器であり、１０５は、例えば放送局から送信された高周波信号からなるテレビ放送信号を受信するアンテナである。
【００２２】
以下、制御装置１０１の構成について説明する。
【００２３】
制御装置１０１は入力部１１０、記憶部１１１、タイマー１１２、送信部１１３、制御部１１４を備える。
【００２４】
入力部１１０は、ユーザが制御装置１０１を制御するためのユーザインタフェースである。
【００２５】
このユーザインタフェースとは、複数のボタン（チャンネルボタン１１０Ａ〜Ｌ、音量ボタン１１０Ｍ、Ｎ）を含む操作パネルである。そして、ユーザはこれらのボタンを操作することで受信装置１０２を動作させることができる。
【００２６】
尚、ボタンには所定の放送チャンネルを指定するためのキーコードａ〜ｌが割り当てられているチャンネルボタン１１０Ａ〜Ｌ、音量を変化させるためのキーコードｍ，ｎが割り当てられている音量ボタン１１０Ｍ、Ｎ等の種類がある。
【００２７】
また、チャンネルボタン１１０Ａはキーコードａと、チャンネルボタン１１０Ｂはキーコードｂと、チャンネルボタン１１０Ｃはキーコードｃと対応付けられている。
【００２８】
ユーザがチャンネルボタン１１０Ａ〜Ｌのいずれかを押下した場合、当該キーコードは記憶部１１１に記憶される。尚、記憶部１１１はキーコードを記憶する記憶領域を複数備えている。
【００２９】
タイマー１１２は、チャンネルボタン１１０Ａ〜Ｌの全て操作されていない状態で所定の時間が経過した後、初めてチャンネルボタン１１０Ａ〜Ｌのいずれかが押下された場合に計時を開始し、所定の時間が経過すると計時を終了する。
【００３０】
送信部１１３は、無線／有線ＬＡＮ（Ｌｏｃａｌ  Ａｒｅａ  Ｎｅｔｗｏｒｋ）アダプタ、赤外線発光素子、電波発信素子等で構成され、制御部１１４から入力された送信情報を送信信号に変換して受信装置１０２に送信する。
【００３１】
制御部１１４は、入力部１１０、記憶部１１１、タイマー１１２及び送信部１１３の動作を制御し、記憶部１１１に記憶されたキーコード及びタイマー１１２の計時情報を読み出して、送信情報を生成し、送信部１１３へ出力する。
【００３２】
以下、受信装置１０２の構成について説明する。
【００３３】
受信装置１０２は受信部１２０、チューナ部１２１、復調部１２２、デマルチプレクサ１２３、映像デコーダ１２４、音声デコーダ１２５、拡大縮小部１２６を備える。
【００３４】
また、受信装置１０２は合成部１２７、コンテンツ制御部１２８、バッファ制御部１２９、バッファ１３０、出力部１３１を備える。
【００３５】
また、受信装置１０２は外部映像機器１０４から出力された信号を入力可能な入力インターフェース１３２を備えてもよい。
【００３６】
外部映像機器１０４が画像データを出力した場合、入力インターフェース１３２は当該画像データを映像デコーダ１２４に出力する。
【００３７】
受信部１２０は、無線／有線ＬＡＮアダプタ、赤外線受光素子、電波受信素子等で構成され、制御装置１０１の送信部１１３から出力された信号を受信して、受信情報に変換してコンテンツ制御部１２８に出力する。
【００３８】
チューナ部１２１は帯域フィルタを有し、アンテナ１０５によって受信されたテレビ放送信号から視聴する所定の放送チャンネルの信号を選局する。
【００３９】
復調部１２２はチューナ部１２１で選択された放送チャンネルの信号を伝送形態に合致した所定のコンテンツ情報に変換する。また、復調部１２２はコンテンツ情報の誤り訂正処理等も行う。
【００４０】
尚、コンテンツ情報とは、例えばＭＰＥＧ−２（Ｍｏｖｉｎｇ  Ｐｉｃｔｕｒｅ  Ｅｘｐｅｒｔｓ  Ｇｒｏｕｐ  ｐｈａｓｅ  ２）のエレメンタリストリームを適当なサイズに分割してパケット化したデータである。
【００４１】
デマルチプレクサ１２３はコンテンツ情報を画像データ、音声データ等に分離する。
【００４２】
映像デコーダ１２４はデマルチプレクサ１２３または入力インターフェース１３２から入力された画像データを復号し、ラスタースキャン形式の表示フォーマットの表示要素データに変換する。
【００４３】
一方、音声デコーダ１２５は音声データを復号し、オーディオ信号情報としてアンプ、スピーカー等の音響機器に出力する。尚、オーディオ信号情報はアンプ、スピーカー等の音響機器で所定の処置がなされ、音声として出力される。
【００４４】
拡大縮小部１２６は映像デコーダ１２４から出力された表示要素データに対して、拡大縮小率、表示位置、透過度、表示優先度（前景と背景の関係性）等のレイアウトパラメータを決定する。
【００４５】
尚、チューナ部１２１、復調部１２２、デマルチプレクサ１２３、映像デコーダ１２４、拡大縮小部１２６は複数の放送チャンネルの信号から復調された複数のコンテンツ情報を並行して処理できる形態となっている。
【００４６】
合成部１２７に２個以上の放送チャンネルから得られた複数の表示要素データが入力された場合、合成部１２７は例えば表示部１０３の水平・垂直同期信号に同期した出力レートで当該複数の表示要素データを合成する。
【００４７】
また、合成部１２７は、合成された複数の表示要素データを表示データとしてバッファ制御部１２９に出力する。尚、合成部１２７に１つの表示要素データが入力された場合、当該表示要素データを表示データとしてバッファ制御部１２９に出力する。
【００４８】
コンテンツ制御部１２８は受信部１２０、チューナ部１２１、拡大縮小部１２６の動作を制御する。
【００４９】
バッファ制御部１２９は表示データを一旦出力レート毎にバッファ１３０に格納させ、表示部１０３に表示するタイミングに応じて１画面分の表示データをバッファ１３０から出力部１３１に出力する。
【００５０】
出力部１３１は表示部１０３に表示させる表示データを、例えばＲ（赤）信号、Ｇ（緑）信号、Ｂ（青）信号に変換して表示部１０３に出力する。
【００５１】
図２は画像処理システム１００における処理動作の一例を示したフローチャートである。
【００５２】
以下、ユーザが設定時間内に複数個のチャンネルボタンを押下した場合の動作について説明する。
【００５３】
まず、ステップＳ２０１において、制御部１１４はチャンネルボタン１１０Ａ〜Ｌのいずれかがユーザに押下されたか否かを判断する。
【００５４】
ユーザがチャンネルボタンを押下した場合（ステップＳ２０１のＹＥＳ）、ステップＳ２０２において制御部１１４は押下されたチャンネルボタンに対応するキーコードを記憶部１１１に記憶させる。
【００５５】
次に、ステップＳ２０３においてタイマー１１２は計測時間（Ｔｗ）の計時を開始する。
【００５６】
次に、ステップＳ２０４において制御部１１４は、閾値であるＴｗが経過したか否かを判定する。
【００５７】
Ｔｗが経過していない場合（ステップＳ２０４のＮＯ）、ステップＳ２０５において制御部１１４はステップＳ２０１で押下されたチャンネルボタンと異なるチャンネルボタンが押下されたか否かを判定する。
【００５８】
上述した条件に該当するチャンネルボタンが押下された場合（ステップＳ２０５のＹＥＳ）、ステップＳ２０６において制御部１１４は直前のステップＳ２０５において押下されたチャンネルボタンに対応するキーコードを取得し、記憶部１１１に記憶させる。
【００５９】
尚、Ｔｗの間に複数のキーコードが記憶部１２１に記憶される場合、それぞれのキーコードは記憶部１１１の異なる記憶領域に記憶されるため、キーコードの情報は上書きされない。
【００６０】
次に、Ｔｗが経過した場合（ステップＳ２０４のＹＥＳ）、ステップＳ２０７において、制御部１１４は記憶部１１１に記憶された全てのキーコードを含む送信情報を生成する。
【００６１】
図３にＴｗの間にチャンネルボタン１１０Ａ、Ｂ、Ｃが押下された場合に生成される送信情報のフォーマットの例を示す。
【００６２】
このフォーマットにおいては、グループスタートフラグとグループエンドフラグとがキーコードａ、ｂ、ｃに付加されている。
【００６３】
またＴｗの計時は、図４に示すように全てのチャンネルボタンが押下されていない状態（ＯＦＦ）から、あるチャンネルボタンが押下された状態（ＯＮ）になった時点（Ｔ１）を計時の開始点とする。
【００６４】
また制御部１１４はＴ１からＴｗが経過するまでの時間（図４のＴ１からＴ２までの間）に複数のチャンネルボタンがＯＮになった場合、当該複数のチャンネルボタンに対応するキーコードを記憶部１１１に記憶させる。
【００６５】
次に、ステップＳ２０８において制御部１１４は送信情報を送信部１１３に出力する。
【００６６】
次に、ステップＳ２０９において送信部１１３は送信情報を送信信号に変換して出力する。
【００６７】
次に、ステップＳ２１０においてコンテンツ制御部１２８はチャンネルボタンに対応するキーコードを含む信号が受信部１２０に受信されたか否かを判断する。
【００６８】
受信部１２０が所定のキーコードを受信した場合（ステップＳ２１０のＹＥＳ）、Ｓ２１１において、コンテンツ制御部１２８は、受信部１２０が受信した信号に含まれる全てのキーコードを取得する。
【００６９】
次に、ステップＳ２１２においてコンテンツ制御部１２８は映像取得情報をチューナ部１２１に出力する。この映像取得情報とは、ステップＳ２１１で取得されたキーコードに対応する放送チャンネルを選局する情報である。
【００７０】
また本実施の形態においてこの映像取得情報とは、所定の周波数帯を指定する情報である。尚、この映像取得情報は放送チャンネルを特定するための情報で代用できる。
【００７１】
次に、ステップＳ２１３においてコンテンツ制御部１２８は、ステップＳ２１１で取得されたキーコードの数に従ってレイアウト情報を拡大縮小部１２６に出力する。
【００７２】
ここでレイアウト情報とは、各々の放送チャンネルの表示要素データを表示部１０３に並行して表示する際の拡大縮小率、表示位置、透過度、表示優先度等のレイアウトパラメータを含む情報である。
【００７３】
尚、ステップＳ２１２とステップＳ２１３は何れの動作が先でもよく、並行して動作する形態でもよい。
【００７４】
次に、ステップＳ２１４において拡大縮小部１２６は、ステップＳ２１３のレイアウト情報に従って、複数のコンテンツの表示要素データを生成する。
【００７５】
次に、ステップＳ２１５において合成部１２７は複数の表示要素データを合成し、表示データとしてバッファ制御部１２９に出力する。
【００７６】
次に、ステップＳ２１６においてバッファ制御部１２９は表示データを一旦出力レート毎にバッファ１３０に格納させ、表示部１０３に表示するタイミングに応じて１画面分の表示データをバッファ１３０から出力部１３１に出力する。
【００７７】
図５はＴｗの間にチャンネルボタン１１０Ａ、Ｂ、Ｃが押下された場合に表示部１０３に表示されるレイアウトの例を示している。
【００７８】
図５の（ａ）においては、ユーザが指定した複数の放送チャンネルのみが１つの画面上に配置されている。
【００７９】
また、図５の（ｂ）のように、図５の（ａ）において画像データが表示されていない表示部１０３の右下領域（以下、未使用領域とする）にユーザが指定していない放送チャンネルの画像を表示してもよい。
【００８０】
また、ユーザが指定していない放送チャンネルとは、ユーザが過去に指定した放送チャンネルの履歴情報から指定頻度が高く、かつ、その時点でユーザが指定していない放送チャンネルでもよい。
【００８１】
また、ユーザが指定していない放送チャンネルとは、ユーザが指定した放送チャンネルで放送されている番組と共通のカテゴリの番組が放送されている他の放送チャンネルでもよい。
【００８２】
また図５の（ａ）の表示部１０３の未使用領域には、ユーザが指定していない複数の放送チャンネルの画像を順次切替えて表示してもよい。
【００８３】
また図５の（ｃ）のように図５の（ａ）の未使用領域を更に分割して各々に複数の放送チャンネルの画像を表示してもよい。
【００８４】
図５の（ｂ）または（ｃ）のような構成をとることで、表示部１０３を有効に利用する効果がある。
【００８５】
このような構成をとることで簡易な操作でユーザの好む複数の画像データを１つの表示部にマルチ画面表示させることが可能となる。
【００８６】
次に、本実施形態の画像処理システム１００において、更に操作タイミング、操作圧力、操作の継続時間等に基づき、レイアウト情報を生成する機能を備えた場合について説明する。
【００８７】
このとき制御装置１０１は、操作タイミング、操作圧力、操作の継続時間等を判定し、記憶部１１１に判定した操作タイミング、操作圧力、操作の継続時間等の情報（以下、付加情報とする）を記憶する機能を備える。
【００８８】
また制御部１１４は記憶部１１１に記憶された全てのキーコード及び全ての付加情報を含む送信情報を生成する機能を備える。
【００８９】
また受信部１２０がキーコード及び付加情報を含む信号を受信した場合、コンテンツ制御部１２８は、当該付加情報に従って表示要素データの拡大縮小率、表示位置、透過度、表示優先度を定めたレイアウト情報を拡大縮小部１２６に出力する機能を備える。
【００９０】
図６は操作タイミングに基づき、レイアウト情報を生成する機能を備えた画像処理システム１００における処理動作の一例を示したフローチャートである。
【００９１】
以下、ユーザが設定時間内に複数個のチャンネルボタンを押下した場合の動作について説明する。
【００９２】
まず、ステップＳ６０１において、制御部１１４はチャンネルボタン１１０Ａ〜Ｌのいずれかがユーザに押下されたか否かを判断する。
【００９３】
ユーザがチャンネルボタンを押下した場合（ステップＳ６０１のＹＥＳ）、ステップＳ６０２において制御部１１４は押下されたチャンネルボタンに対応するキーコードを記憶部１１１に記憶させる。
【００９４】
次に、ステップＳ６０３においてタイマー１１２は計測時間（Ｔｗ）の計時を開始する。
【００９５】
次に、ステップＳ６０４においてタイマー１１２は時間差（Ｔｄ）の計時を開始する。尚、ＴｄはＴｗよりも短い一定の時間とし、連続して操作された２つのチャンネルボタンの時間差との比較に用いられる。
【００９６】
次に、ステップＳ６０５において制御部１１４は、Ｔｗが経過したか否かを判定する。
【００９７】
Ｔｗが経過していない場合（ステップＳ６０５のＮＯ）、ステップＳ６０６において制御部１１４はステップＳ６０１で押下されたチャンネルボタンと異なるチャンネルボタンが押下されたか否かを判定する。
【００９８】
上述した条件に該当するチャンネルボタンが押下された場合（ステップＳ６０６のＹＥＳ）、ステップＳ６０７において制御部１１４は直前のステップＳ６０６において押下されたチャンネルボタンに対応するキーコードを取得し、記憶部１１１に記憶させる。
【００９９】
次に、ステップＳ６０７においてキーコードが記憶された場合、ステップＳ６０８制御部１１４は、Ｔｄが経過したか否かを判定する。
【０１００】
Ｔｄが経過していない場合（ステップＳ６０８のＮＯ）、ステップＳ６０９において制御部１１４は表示部１０３を均等に分割することを示すキーコードを記憶部１１１に記憶させる。
【０１０１】
Ｔｄが経過している場合（ステップＳ６０８のＹＥＳ）、ステップＳ６１０において制御部１１４は表示部１０３を不均等に分割することを示すキーコードを記憶部１１１に記憶させる。
【０１０２】
尚、ステップＳ６０９およびステップＳ６１０において記憶されるキーコードは、直前のステップＳ６０７において記憶されたチャンネルボタンに対応するキーコードにそれぞれ対応付けられている。
【０１０３】
次に、タイマー１１２はＴｄの計時を一旦終了し、新たにＴｄの計時を開始する（ステップＳ６０４）。
【０１０４】
次に、Ｔｗが経過した場合（ステップＳ６０５のＹＥＳ）、ステップＳ６１１において、制御部１１４は記憶部１１１に記憶された全てのキーコードを含む送信情報を生成する。
【０１０５】
またＴｗの計時は、図７に示すように全てのチャンネルボタンが押下されていない状態（ＯＦＦ）から、あるチャンネルボタンが押下された状態（ＯＮ）になった時点（Ｔ１）を計時の開始点とする。
【０１０６】
またＴｄの計時は、図７に示すようにあるチャンネルボタンが押下された状態（ＯＮ）になった時点（Ｔ１）を計時の開始点とし、異なるチャンネルボタンが押下された状態（ＯＮ）になった時点（Ｔ３）を新たな計時の開始点とする。
【０１０７】
次に、ステップＳ６１２において制御部１１４は送信情報を送信部１１３に出力する。
【０１０８】
次に、ステップＳ６１３において送信部１１３は送信情報を送信信号に変換して出力する。
【０１０９】
次に、ステップＳ６１４においてコンテンツ制御部１２８はチャンネルボタン対応するキーコード及び表示部１０３の分割に関するキーコードを含む信号が受信部１２０に受信されたか否かを判断する。
【０１１０】
受信部１２０が所定のキーコードを受信した場合（ステップＳ６１４のＹＥＳ）、Ｓ６１５において、コンテンツ制御部１２８は、受信部１２０が受信した信号に含まれる全てのキーコードを取得する。
【０１１１】
次に、ステップＳ６１６においてコンテンツ制御部１２８は映像取得情報をチューナ部１２１に出力する。
【０１１２】
次に、ステップＳ６１７においてコンテンツ制御部１２８は、ステップＳ６１５で取得された表示部１０３の分割に関するキーコード従ってレイアウト情報を拡大縮小部１２６に出力する。
【０１１３】
ここでレイアウト情報は、図８（ａ）のタイミングでチャンネルボタンが押下された場合、図８（ｂ）のように水平方向に均等に分割する境界８０１を設けて、複数の表示領域のレイアウトを決定する情報である。
【０１１４】
またレイアウト情報は、図８（ｃ）のタイミングでチャンネルボタンが押下された場合、図８（ｄ）のように水平方向に不均等に分割する境界８０２を設けて、複数の表示領域のレイアウトを決定する情報である。
【０１１５】
またレイアウト情報は、図８（ｅ）のタイミングでチャンネルボタンが押下された場合、図８（ｆ）のように水平方向に不均等に分割する境界８０３及び垂直方向に均等に分割する境界８０４を設けて、複数の表示領域のレイアウトを決定する情報である。
【０１１６】
尚、レイアウト情報は、受信部に受信された信号に含まれるキーコードに応じて、コンテンツ制御部１２８が複数あるレイアウトパターンから所定のレイアウトを選択する情報としてもよい。
【０１１７】
以後の処理は図２のステップＳ２１４からステップＳ２１６までの処理と同様であるため省略する。
【０１１８】
このような構成をとることで、更に、簡易な操作方法の変更でマルチ画面表示のレイアウトを変更することが可能となる。
【０１１９】
（第２の実施形態）
本実施形態は、タイマー１１２を設けない点で本発明の第１の実施形態と異なる。
【０１２０】
図９は、本発明の第２の実施形態に係る画像処理システムの構成を示したブロック図であり、図１と共通の要素には同一符号を付し、その説明を省略する。
【０１２１】
同図において、画像処理システム９００と図１に示した画像処理システム１００とは、図９の制御部９１４の機能が、図１の制御部１１４の機能と相違する点で異なる。
【０１２２】
以下、制御装置９０１の構成について説明する。
【０１２３】
制御部９１４は、入力部１１０、記憶部１１１及び送信部１１３の動作を制御し、記憶部１１１に記憶されたキーコードを読み出して、送信情報を生成し、送信部１１３へ出力する。
【０１２４】
図１０は画像処理システム９００における処理動作の一例を示したフローチャートである。
【０１２５】
以下、ユーザが所定のタイミングで複数個のチャンネルボタンを押下した場合の動作について説明する。
【０１２６】
まず、ステップＳ１００１において、制御部９１４はチャンネルボタン１１０Ａ〜Ｌのいずれかがユーザに押下されたか否かを判断する。
【０１２７】
ユーザがチャンネルボタンを押下した場合（ステップＳ１００１のＹＥＳ）、ステップＳ１００２において制御部９１４は押下されたチャンネルボタンに対応するキーコードを記憶部１１１に記憶させる。
【０１２８】
次にステップＳ１００３において、制御部９１４は、１つ以上のチャンネルボタンに対する操作が継続されている状態であるか判断する。
【０１２９】
１つ以上のチャンネルボタンに対する操作が継続されている場合（ステップＳ１００３のＹＥＳ）、ステップＳ１００４において制御部９１４はステップＳ１００１で押下されたチャンネルボタンと異なるチャンネルボタンが押下されたか否かを判断する。
【０１３０】
上述の条件に該当するチャンネルボタンが押下された場合（ステップＳ１００４のＹＥＳ）、ステップＳ１００５において、制御部９１４は直前のステップＳ１００４で新たに押下されたチャンネルボタンに対応するキーコードを取得し、記憶部１１１に記憶させる。
【０１３１】
尚、Ｔｗの間に複数のキーコードが記憶部１２１に記憶される場合、それぞれのキーコードは記憶部１１１の異なる記憶領域に記憶されるため、キーコードの情報は上書きされない。
【０１３２】
何れのチャンネルボタンも操作されていない場合（ステップＳ１００３のＮＯ）、ステップＳ１００６において、制御部９１４は記憶部１１１に記憶された全てのキーコードを含む送信情報を生成する。
【０１３３】
以後の処理は、図２のステップＳ２０８からステップＳ２１６までの処理と同様であるため省略する。
【０１３４】
本実施形態においては、図１１に示すように、まず全てのチャンネルボタンが押下されていない状態（ＯＦＦ）から、あるチャンネルボタンが押下された状態（ＯＮ）が検知される。
【０１３５】
次に、当該チャンネルボタンに対応するキーコードが記憶部１１１の記憶領域に記憶させる。
【０１３６】
次に、当該チャンネルボタンが押下された状態（ＯＮ）が継続され、かつ別のチャンネルボタンが押下された状態（ＯＮ）が検知された場合、当該別のチャンネルボタンに対応するキーコードが記憶部１１１の異なる記憶領域に記憶される。
【０１３７】
このような構成をとることで、ユーザ操作が終了した時点で送信情報を生成するステップ（ステップＳ１００６）を実行させることが可能となる。
【０１３８】
次に、本実施形態の画像処理システム９００において、更に操作タイミング、操作圧力、操作の継続時間等に基づき、レイアウト情報を生成する機能を備えた場合について説明する。
【０１３９】
このとき制御装置９０１は、操作タイミング、操作圧力、操作の継続時間等を判定し、記憶部１１１に判定した操作タイミング、操作圧力、操作の継続時間等の情報（以下、付加情報とする）を記憶する機能を備える。
【０１４０】
また制御部９１４は記憶部１１１に記憶された全てのキーコード及び全ての付加情報を含む送信情報を生成する機能を備える。
【０１４１】
また受信部１２０がキーコード及び付加情報を含む信号を受信した場合、コンテンツ制御部１２８は、当該付加情報に従って表示要素データの拡大縮小率、表示位置、透過度、表示優先度を定めたレイアウト情報を拡大縮小部１２６に出力する機能を備える。
【０１４２】
図１２は操作継続時間に基づき、レイアウト情報を生成する機能を備えた画像処理システム９００における処理動作の一例を示したフローチャートである。
【０１４３】
以下、ユーザが所定のタイミングで複数個のチャンネルボタンを押下した場合の動作について説明する。
【０１４４】
まず、ステップＳ１２０１において、制御部９１４はチャンネルボタン１１０Ａ〜Ｌのいずれかがユーザに押下されたか否かを判断する。
【０１４５】
ユーザがチャンネルボタンを押下した場合（ステップＳ１２０１のＹＥＳ）、ステップＳ１２０２において制御部９１４は押下されたチャンネルボタンに対応するキーコードを記憶部１１１に記憶させる。
【０１４６】
次に、ステップＳ１２０３において制御部９１４は、１つ以上のチャンネルボタンに対する操作が継続されている状態であるか判断する。
【０１４７】
１つ以上のチャンネルボタンに対する操作が継続されている場合（ステップＳ１２０３のＹＥＳ）、ステップＳ１２０４において制御部９１４はステップＳ１２０１で押下されたチャンネルボタンと異なるチャンネルボタンが押下されたか否かを判断する。
【０１４８】
上述の条件に該当するチャンネルボタンが押下された場合（ステップＳ１２０４のＹＥＳ）、ステップＳ１２０５において、制御部９１４は直前のステップＳ１２０４で新たに押下されたチャンネルボタンに対応するキーコードを取得し、記憶部１１１に記憶させる。
【０１４９】
次に、ステップＳ１２０６において、ステップＳ１２０１またはステップＳ１２０４で押下されたチャンネルボタンに対するユーザ操作が終了したか否かを判断する。
【０１５０】
いずれかのチャンネルボタンに対する操作が終了した場合（ステップＳ１２０６のＹＥＳ）、ステップＳ１２０７において制御部９１４はステップＳ１２０６で押下を終了したチャンネルボタン対応するキーコードを取得し、記憶部１１１に記憶させる。
【０１５１】
尚、ステップＳ１００７においてキーコードが記憶される場合、当該キーコードには操作が終了したことを示す情報が付加されている。
【０１５２】
何れのチャンネルボタンも操作されていない場合（ステップＳ１００３のＮＯ）、ステップＳ１２０８において、制御部９１４は記憶部１１１に記憶された全てのキーコードを含む送信情報を生成する。
【０１５３】
次に、ステップＳ１２０９において制御部９１４は送信情報を送信部１１３に出力する。
【０１５４】
次に、ステップＳ１２１０において送信部１１３は送信情報を送信信号に変換して出力する。
【０１５５】
次に、ステップＳ１２１１においてコンテンツ制御部１２８はチャンネルボタン対応するキーコードを含む信号が受信部１２０に受信されたか否かを判断する。
【０１５６】
受信部１２０が所定のキーコードを受信した場合（ステップＳ１２１１のＹＥＳ）、Ｓ１２１２において、コンテンツ制御部１２８は、当該信号に含まれる全てのキーコードを取得する。
【０１５７】
次に、ステップＳ１２１３においてコンテンツ制御部１２８は映像取得情報をチューナ部１２１に出力する。
【０１５８】
次に、ステップＳ１２１４においてコンテンツ制御部１２８は、ステップＳ１２１２で取得されたキーコードの配列に従ってレイアウト情報を拡大縮小部１２６に出力する。
【０１５９】
ここで図１３（ａ）のタイミングでチャンネルボタンが押下された場合、送信信号は図１３（ｂ）に示すフォーマットとなっている。
【０１６０】
このとき表示部１０３に表示されるレイアウトは、図１３（ｃ）のように操作の継続時間が長いチャンネルボタン１１０Ａに対応する表示領域が、押下操作の継続時間が短いチャンネルボタン１１０Ｂに対応する表示領域よりも大きい形態となっている。
【０１６１】
また、チャンネルボタン１１０Ａに対応する矩形の表示領域の一部は、チャンネルボタン１１０Ｂに対応する矩形の表示領域の背景となるよう配置されている。
【０１６２】
また図１３（ｄ）のタイミングでチャンネルボタンが押下された場合、送信信号は図１３（ｅ）に示すフォーマットとなっている。
【０１６３】
このとき表示部１０３に表示されるレイアウトは、図１３（ｆ）のようにチャンネルボタン１１０Ａに対応する表示領域と押下操チャンネルボタン１１０Ｂに対応する表示領域とは等しい大きさとなっている。
【０１６４】
また、チャンネルボタン１１０Ａに表示領域とチャンネルボタン１１０Ｂに対応する表示領域は左右に並べて配置されている。
【０１６５】
以後の処理は図２のステップＳ２１４からステップＳ２１６までの処理と同様であるため省略する。
【０１６６】
このような構成をとることで、更に、簡易な操作方法の変更でマルチ画面のレイアウトを変更することが可能となる。
【０１６７】
（第３の実施形態）
本実施形態は、各々のチャンネルボタンに所定の放送チャンネルではなく、所定のコンテンツを指定するためのキーコードを割り当てた点で本発明の第１の実施形態と異なる。
【０１６８】
ここでコンテンツとは、テレビ放送の番組やハードディスクレコーダ等の外部映像機器１０４に記憶されている画像データ等である。
【０１６９】
図１４は、本発明の第３の実施形態に係る画像処理システムの構成を示したブロック図であり、図１と共通の要素には同一符号を付し、その説明を省略する。
【０１７０】
同図において、画像処理システム１４００が図１に示した構成と異なる点は、入力部１１０に一覧表示ボタン１４１０を設けた点である。
【０１７１】
以下、制御装置１４０１の構成について説明する。
【０１７２】
一覧表示ボタン１４１０は、表示部１０３に表示可能な複数のコンテンツを一覧表示するキーコードと対応付けられている。
【０１７３】
尚、一覧表示ボタン１４１０を設けず、複数のボタンを同時に押下する操作とコンテンツを一覧表示するキーコードと対応付ける構成でも代用できる。
【０１７４】
図１５は画像処理システム１４００における処理動作の一例を示したフローチャートである。
【０１７５】
以下、ユーザが一覧表示ボタンを押下した場合の動作について説明する。更に、ユーザが設定時間内に複数個のチャンネルボタンを押下した場合の動作について説明する。
【０１７６】
まず、ステップＳ１５０１において、コンテンツ制御部１４２８は、受信部１２０に一覧表示ボタン１４１０が押下された場合のキーコードを含む信号が受信されたか否か判断する。
【０１７７】
受信部１２０が一覧表示ボタン１４１０が押下された場合（ステップＳ１５０１のＹＥＳ）、ステップＳ１５０２においてコンテンツ制御部１４２８は、一覧表示すべきコンテンツを取得する映像取得情報をチューナ部１２１に出力する。
【０１７８】
また、ステップＳ１５０２において外部映像機器１０４に記憶されている画像データを表示部１０３一覧表示する場合、コンテンツ制御部１４２８は、映像取得情報を外部映像機器１０４に出力する。
【０１７９】
次に、ステップＳ１５０３においてコンテンツ制御部１４２８は表示部１０３にコンテンツを一覧表示する際のレイアウト情報を拡大縮小部１２６に出力する。
【０１８０】
次に、ステップＳ１５０４において拡大縮小部１２６は、ステップＳ１５０３のレイアウト情報に従って、複数のコンテンツの表示要素データを生成する。
【０１８１】
次に、ステップＳ１５０５においてチャンネルボタン１１０Ａ〜Ｌと各々の表示要素データとを対応付ける。
【０１８２】
次に、ステップＳ１５０６において合成部１２７は複数の表示要素データを合成し、表示データとしてバッファ制御部１２９に出力する。
【０１８３】
次に、ステップＳ１５０７においてバッファ制御部１２９は表示データを一旦出力レート毎にバッファ１３０に格納させ、表示部１０３に表示するタイミングに応じて１画面分の表示データをバッファ１３０から出力部１３１に出力する。
【０１８４】
このとき表示部１０３に表示される表示データは、図１６（ａ）のように各々のコンテンツの画像１６０１Ａ〜Ｌに所定のチャンネルボタン１１０Ａ〜Ｌを示す画像を対応付けた形態となっている。
【０１８５】
次に、ステップＳ１５０８においてコンテンツ制御部１４２８はチャンネルボタン１１０Ａ〜Ｌに対応するキーコードを含む信号が受信部１２０に受信されたか否かを判断する。
【０１８６】
受信部１２０が所定のキーコードを受信した場合（ステップＳ１５０８のＹＥＳ）、ステップＳ１５０９においてコンテンツ制御部１４２８は取得されたキーコードの数に従ってレイアウト情報を拡大縮小部１２６に出力する。
【０１８７】
次に、ステップＳ１５１０において拡大縮小部１２６は、レイアウト情報に従って、コンテンツ毎に表示要素データを生成する。
【０１８８】
次に、ステップＳ１５１１において合成部１２７は１または複数の表示要素データを合成し、バッファ制御部１２９に出力する。
【０１８９】
次に、ステップＳ１５１２においてバッファ制御部１２９は表示データを一旦出力レート毎にバッファ１３０に格納させ、表示部１０３に表示するタイミングに応じて１画面分の表示データをバッファ１３０から出力部１３１に出力する。
【０１９０】
このとき表示部１０３に表示される表示データは、図１６（ｂ）のようにステップＳ１５０９で取得されたキーコードに対応付けられたコンテンツがマルチ画面表示された表示データとなる。
【０１９１】
このような構成をとることで、ユーザは一覧表示された複数のコンテンツの内容を確認した上で、簡易な操作によって当該複数のコンテンツの中から表示部１０３表示させる１または複数のコンテンツを選択することが可能となる。
【０１９２】
（第４の実施形態）
本実施形態は、制御装置１０１が備えていた機能モジュールの一部（記憶部１１１、タイマー１１２）を受信装置に設けた点で本発明の第１の実施形態と異なる。
【０１９３】
図１７は、本発明の第４の実施形態に係る画像処理システムの構成を示したブロック図であり、図１と共通の要素には同一符号を付し、その説明を省略する。
【０１９４】
同図において、画像処理システム１７００が図１に示した構成と異なる点は、制御装置１０１が備えていた記憶部１１１とタイマー１１２とに替えて、受信装置１７０２に記憶部１７３３とタイマー１７３４とを設けた点である。
【０１９５】
以下、制御装置１７０１の構成について説明する。
【０１９６】
制御部１７１４は、入力部１１０及び送信部１１３の動作を制御し、ユーザが押下したボタンに対応するキーコードを読み出して、送信情報を生成し、送信部１１３へ出力する。
【０１９７】
以下、受信装置１７０２の構成について説明する。
【０１９８】
受信部１０２が放送チャンネルを指定するキーコードを含む信号を受信した場合、当該キーコードは記憶部１７３３に記憶される。尚、記憶部１７３３はキーコードを記憶する記憶領域を複数備えている。
【０１９９】
タイマー１７３４は、放送チャンネルを指定するキーコードを含む信号が受信されていない状態で所定の時間が経過した後、初めて当該信号が受信された場合に計時を開始し、所定の時間が経過すると計時を終了する。
【０２００】
コンテンツ制御部１７２８は受信部１２０、チューナ部１２１、拡大縮小部１２６、記憶部１７３３及びタイマー１７３４の動作を制御する。
【０２０１】
また、コンテンツ制御部１７２８は所定の時間内に記憶部１７３３に記憶されたキーコードに対応する放送チャンネルを選局するための映像取得情報をチューナ部１２１に出力する。
【０２０２】
図１８は画像処理システム１７００における処理動作の一例を示したフローチャートである。
【０２０３】
以下、受信部１２０が設定時間内にチャンネルボタンに対応するキーコードを含む複数の信号を受信した場合の動作について説明する。
【０２０４】
まず、ステップＳ１８０１においてコンテンツ制御部１７２８はチャンネルボタン１１０Ａ〜Ｌに対応するキーコードを含む信号が受信部１２０に受信されたか否かを判断する。
【０２０５】
受信部１２０が所定のキーコードを受信した場合（ステップＳ１８０１のＹＥＳ）、ステップＳ１８０２においてコンテンツ制御部１７２８は受信されたキーコードを記憶部１７３３に記憶させる。
【０２０６】
次に、ステップＳ１８０３においてタイマー１７３４は計測時間（Ｔｗ）の計時を開始する。
【０２０７】
次に、ステップＳ１８０４において、コンテンツ制御部１７２８は、Ｔｗが経過したか否かを判定する。
【０２０８】
Ｔｗが経過していない場合（ステップＳ１８０４のＮＯ）、ステップＳ１８０５においてコンテンツ制御部１７２８はステップＳ１８０１で受信部１２０に受信されたキーコードと異なるキーコードを含む信号が受信されたか否かを判定する。
【０２０９】
上述した条件に該当するキーコードを含む信号が受信された場合（ステップＳ１８０５のＹＥＳ）、ステップＳ１８０６において、コンテンツ制御部１７２８は当該信号に含まれるキーコードを記憶部１７３３に記憶させる。
【０２１０】
尚、Ｔｗの間に複数のキーコードが記憶部１７３３に記憶される場合、それぞれのキーコードは記憶部１７３３の異なる記憶領域に記憶されるため、キーコードの情報は上書きされない。
【０２１１】
次に、Ｔｗが経過した場合（ステップＳ１８０４のＹＥＳ）、ステップＳ１８０７においてコンテンツ制御部１７２８は記憶部１７３３に記憶された全てのキーコードを取得する。
【０２１２】
次に、ステップＳ１８０８においてコンテンツ制御部１７２８は映像取得情報をチューナ部１２１に出力する。この映像取得情報とは、ステップＳ２１１で取得されたキーコードに対応する放送チャンネルを選局する情報である。
【０２１３】
また本実施の形態においてこの映像取得情報とは、所定の周波数帯を指定する情報である。尚、この映像取得情報は放送チャンネルを特定するための情報で代用できる。
【０２１４】
次に、ステップＳ１８０９においてコンテンツ制御部１７２８は、ステップＳ１８０７で取得されたキーコードの数に従ってレイアウト情報を拡大縮小部１２６に出力する。
【０２１５】
尚、ステップＳ１８０８とステップＳ１８０９は何れの動作が先でもよく、並行して動作する形態でもよい。
【０２１６】
次に、ステップＳ１８１０において拡大縮小部１２６は、ステップＳ１８０９のレイアウト情報に従って、複数のコンテンツの表示要素データを生成する。
【０２１７】
次に、ステップＳ１８１１において合成部１２７は複数の表示要素データを合成し、表示データとしてバッファ制御部１２９に出力する。
【０２１８】
次に、ステップＳ１８１２においてバッファ制御部１２９は表示データを一旦出力レート毎にバッファ１３０に格納させ、表示部１０３に表示するタイミングに応じて１画面分の表示データをバッファ１３０から出力部１３１に出力する。
【０２１９】
このような構成とすることで、複数の制御装置から放送チャンネルを指定するキーコードを含む信号が送信された場合、当該複数の放送チャンネルをマルチ画面表示させることが可能となる。
【０２２０】
（その他の実施形態）
本発明は、上述した実施形態のシステムに限定されず、１つの機器から成る装置に適用しても、複数の機器から構成されるシステムに適用しても良い。
【０２２１】
また、まず前述した実施形態の機能を実現するソフトウェアのプログラムコードを記憶した記憶媒体をシステムあるいは装置に供給する。
【０２２２】
更に、そのシステムあるいは装置のコンピュータ（またはＣＰＵやＭＰＵ）が記憶媒体に格納されたプログラムコードを読み出し実行することによっても、完成される。
【０２２３】
この場合、そのソフトウェアのプログラムコード自体が上記実施形態の機能を実現することになる。即ち、そのプログラムコード自体、及びそのプログラムコードをコンピュータに供給するための手段、具体的には上記プログラムコードを格納した記憶媒体も本発明の範疇に含まれる。
【０２２４】
この様なプログラムコードを格納する記憶媒体としては、例えばフレキシブルディスク、ハードディスク、光ディスク、光磁気ディスク、ＣＤ−ＲＯＭ、ＤＶＤ、磁気テープ、不揮発性のメモリカード、ＲＯＭ等を用いることができる。
【０２２５】
また、コンピュータが読み出したプログラムコードの指示に基づき、コンピュータ上で稼動しているＯＳなどが実際の処理の一部または全部を行い、その処理によって前述した実施形態の機能が実現される場合も含まれる。
【０２２６】
更に、コンピュータの機能拡張ボードに備わるメモリに格納された上記プログラムコードの指示に基づいて、その機能拡張ボードに備わるＣＰＵ等が実際の処理の一部または全部を行う場合なども本発明の範疇に含まれる。
【図面の簡単な説明】
【０２２７】
【図１】本発明の第１の実施形態に係る画像処理システムの構成の一例を示したブロック図
【図２】本発明の第１の実施形態に係る画像処理システムにおける処理動作の一例を示したフローチャート
【図３】送信情報のフォーマットの例を示す図
【図４】チャンネルボタンの状態とＴｗの計時の関係を説明する図
【図５】表示部にマルチ画面表示された表示データの例を示す図
【図６】本発明の第１の実施形態に係る画像処理システムの変形例における処理動作の一例を示したフローチャート
【図７】チャンネルボタンの状態とＴｗ、Ｔｄの計時の関係を説明する図
【図８】チャンネルボタンの状態とマルチ画面表示された表示データとの関係を示す図
【図９】本発明の第２の実施形態に係る画像処理システムの構成の一例を示したブロック図
【図１０】本発明の第２の実施形態に係る画像処理システムにおける処理動作の一例を示したフローチャート
【図１１】チャンネルボタンの状態を説明する図
【図１２】本発明の第２の実施形態に係る画像処理システムの変形例における処理動作の一例を示したフローチャート
【図１３】チャンネルボタンの状態と送信情報とマルチ画面表示された表示データとの関係を示す図
【図１４】本発明の第３の実施形態に係る画像処理システムの構成の一例を示したブロック図
【図１５】本発明の第３の実施形態に係る画像処理システムにおける処理動作の一例を示したフローチャート
【図１６】本発明の第３の実施形態に係る画像処理システムにおいて表示部に表示される表示データの例を示す図
【図１７】本発明の第４の実施形態に係る画像処理システムの構成の一例を示したブロック図
【図１８】本発明の第４の実施形態に係る画像処理システムにおける処理動作の一例を示したフローチャート
【符号の説明】
【０２２８】
１００  画像処理システム
１０１  制御装置
１０２  受信装置
１０３  表示部
１０４  外部映像機器
１０５  アンテナ
【図１】
2010008984.tif 000003
【図２】
2010008984.tif 000004
【図３】
2010008984.tif 000005
【図４】
2010008984.tif 000006
【図５】
2010008984.tif 000007
【図６】
2010008984.tif 000008
【図７】
2010008984.tif 000009
【図８】
2010008984.tif 000010
【図９】
2010008984.tif 000011
【図１０】
2010008984.tif 000012
【図１１】
2010008984.tif 000013
【図１２】
2010008984.tif 000014
【図１３】
2010008984.tif 000015
【図１４】
2010008984.tif 000016
【図１５】
2010008984.tif 000017
【図１６】
2010008984.tif 000018
【図１７】
2010008984.tif 000019
【図１８】
2010008984.tif 000020